(57)【要約】【課題】頂面を押して指を確実に平行移動させて乳房腫瘤を触診することができる、ブラジャー型乳房腫瘤自己検診カップを提供する。【解決手段】ブラジャー型乳房腫瘤自己検診カップは、検診カップ１０を備える。検診カップ１０は、頂面１１及び底面で構成された二層面を有し、頂面１１及び底面の周縁を閉止し、頂面１１及び底面に小空間が形成される。小空間内には、潤滑素子が充填される。単一の頂面１１及び底面によりブラジャー型の前記検診カップ１０を構成し、２つの乳房を大面積で完全に覆うとともに、検診カップ１０が位置決め素子１６を有する。検診カップ１０は、乳房に貼り合わされ、頂面１１が指の指圧及び平行移動させて空間に制限されず、底面が乳房の皮膚に接触され、一括して検診を行い、検診カップ１０を移動させなくとも乳房腫瘤に正確に触れることが可能である。【選択図】図１
0003214612.tif 000002
【実用新案登録請求の範囲】
【請求項１】
検診カップを備えたブラジャー型乳房腫瘤自己検診カップであって、
前記検診カップは、頂面及び底面で構成された二層面を有し、前記頂面及び前記底面の周縁を閉止し、前記頂面及び前記底面に小空間が形成され、
前記小空間内には、潤滑素子が充填され、
単一の前記頂面及び前記底面によりブラジャー型の前記検診カップを構成し、２つの乳房を大面積で完全に覆うとともに、前記検診カップが位置決め素子を有し、前記検診カップは、乳房に貼り合わされ、前記頂面が指で指圧したり水平移動させても空間に制限されず、前記底面が乳房の皮膚に接触され、一括して検診を行い、前記検診カップを移動させることなく乳房腫瘤を正確に触れることが可能なことを特徴とする、ブラジャー型乳房腫瘤自己検診カップ。
【請求項２】
前記潤滑素子は液体素子であることを特徴とする、請求項１に記載のブラジャー型乳房腫瘤自己検診カップ。
【請求項３】
前記頂面又は前記底面の位置決め素子は、周縁両側がそれぞれベルトであり、
２つの前記ベルトを互いに係合させることを特徴とする、請求項１に記載のブラジャー型乳房腫瘤自己検診カップ。
【請求項４】
前記頂面又は前記底面の表面には、複数の記録線が設けられ、
前記記録線により取り囲んでなる複数の領域が画成され、
前記領域上にマーキングされることを特徴とする、請求項１に記載のブラジャー型乳房腫瘤自己検診カップ。
【請求項５】
前記頂面又は前記底面には、ホールが形成され、
前記ホールには、プラグが取り付けられていることを特徴とする、請求項１に記載のブラジャー型乳房腫瘤自己検診カップ。
【考案の詳細な説明】
【技術分野】
【０００１】
本考案は、ブラジャー型乳房腫瘤自己検診カップに関し、特に、２層の頂面、底面及び潤滑素子により構成したブラジャー型検診カップにより、胸部を大面積で覆い、ブラジャーを装着するように胸部に位置決めして貼り付けることができるため、手袋層の制限を受けず、頂面上で自ら指を移動させ、掌、指が能動的に変位するのに影響を与えず、指の押し付け力にも影響を与えず、１回目に触診した腫瘤が属する領域上にマーキングして記録しておき、次回検診したときに腫瘤が大きくなったか否かの判断の根拠として用いることができるため、新たに模索する必要がない、ブラジャー型乳房腫瘤自己検診カップに関する。
【背景技術】
【０００２】
従来、早期の乳癌の大部分は無症状で痛みが無く、乳房が大き目であるか、しこりが深めの場所にある場合、触れることが容易でなく、ステージ０又はステージＩの乳癌は乳房を自己検診しても触れることができず、従来から良く知られる触診練の簡単な方法の一つとしては、２本の指を他方の手の甲の上に置き、緩やかで皮膚を移動させない方式で、指の腹を手の甲上で摺動させながら、皮膚表面下から突き出ている筋又は骨があることを感じたときに指で軽く押し、指の腹を皮膚表面下にある構造上で移動させ、指で小さな円を描き、一点から他方向へ進め、手の甲全てに対して行う。このような方法で皮膚上で移動させると、皮膚の下に腫瘤があるか否かが分かり、早期発見、早期治療を行うことができる。しかし、全ての女性が専門的な看護師ではないため、単純に指で触診するだけでは腫瘤の有無を正確に知ることは困難であった。特に、腫瘤が未だ小さいか出来始めのとき、指で乳房を触診しても、指と皮膚との単点での接触は、単点で皮膚を押圧しても腫瘤が変位するか凹んで見つけることが容易でなく、指の単点で加える圧力が大きくなるため、摩擦力が大きくなり、指を左右で平行移動させる場合、通常、依然として定点の小範囲内での平行移動しかできなく、本当の平行移動を行うことができず、乳房が大き目であるかしこりが深めの場所にある場合、乳房内の腫瘤に確実に触れることが困難であるため、自己検診では異常に気付かず、早期発見、早期治療の機会を逸してしまうことがあった。
【０００３】
特許文献１の「乳房しこりの片手検診バッグ」は、適量のオイルを有する袋体と、掌手袋とにより構成される。袋体は、高弾性を有するプラスチック材料からなり、２層を緊密に閉止し、閉止縁の一側には、密封されていない注入口が残され、オイルを充填する入口である。掌スリーブは、袋体の一面に設置され、その形状及び袋体のサイズを組み合わせ、袋体の注入口と結合したときの相対位置には、内側に僅かに凹んだ装着口が形成される。装着口以外に、袋体と掌スリーブとを組み合わせる縁部を高周波又は超音波で処理し、強固に結合された結合縁に形成されるとともに、適量のオイルを袋体の注入口から注入して充填してから、注入口を密封し、片手を掌スリーブ内に入れて検診する「乳房しこりの片手検診バッグ」を構成する。片手を掌スリーブ内へ入れた後、袋体の面で乳房を覆い、片手の指を袋体の外表面で往復移動させ、しこりが生じているか否かを検査する。この袋体により関連部位を覆った後、袋体内部のオイルにより、指が移動するときに生じる摩擦力を低減させることができる上、２層式の袋体と内設したオイルの増幅作用により、指でしこりを見つける感度が高まり、しこりを検出し、早期治療及び予防の効果を得ることができる。
【０００４】
主に２層、３面のプラスチック材料により袋体及び掌スリーブを形成する。２層とは、袋体及び掌スリーブである。３面の上面、中面により掌スリーブを形成する。３面の中面、底面により袋体を形成する。袋体に適量のオイルを注入してから、注入口を密封し、手を掌スリーブに入れ、指で中面及び底面を押すと、中面と底面との間にオイルがあるため、底面が乳房の皮膚に接触する。押し付け力が大きく、中面と底面との間の摩擦力が小さいため、中面と底面との間でずれて摺動し、指が乳房の皮膚で平滑し易い上、乳房の皮膚を深くまで押すことができるため、内部の腫瘤に触れて腫瘤を確実に見つけ、早期発見、早期治療を行うことができる。
【０００５】
しかし特許文献１は、単一の袋体及び単一の掌スリーブからなり、指を掌スリーブへ挿入した後、平行移動できる範囲が限られているという欠点（１）があった。そのため、頻繁に掌スリーブを持ち上げて移動させる必要がある上、頻繁に掌スリーブを持ち上げなければならないため腫瘤の位置を掌スリーブ上へ記録することができず、次回検出した腫瘤が大きくなったか否かを明確に判断することができないという欠点（２）があった。単一の袋体及び単一の掌スリーブを単一の乳房の面積（大きな乳房も含める）の大きさに製作するが、覆うことが容易でないため面積が限られ、指で平行移動させて触診するため、触診にかかる時間が多くかかるという欠点（３）があった。指を掌スリーブへ入れるが、掌スリーブ自体の上下空間に限りがあるため、掌スリーブの上面及び中間の空間に影響を与え、指が掌スリーブの上面から盛り上がるとともに、中面及び底面が一緒に連動するため、触感に影響を与えるという欠点（４）があった。掌スリーブ及び袋体が乳房に貼り合わせる作用力は、掌スリーブ及び指の力により、指で指圧するとともに、掌で掌スリーブへ力を加え、袋体を乳房へ貼り付けなければならないため、滑り落ちる虞があるという欠点（５）があった。
【０００６】
従来の単一の袋体及び単一の掌スリーブは、乳房に腫瘤があるか否かを自己検診することができるが、掌スリーブで左右へ平行移動させる空間が有限である上、上下の活動空間が有限であり、触感に影響を与え、頻繁に掌スリーブを持ち上げて移動させる必要があった。また、掌スリーブ上に記録することができず、検査に多くの時間がかかるため、製造業者及び使用者にとって不便であった。
【先行技術文献】
【特許文献】
【０００７】
【特許文献１】台湾実用新案公告第Ｍ３７０８６２号公報
【考案の概要】
【考案が解決しようとする課題】
【０００８】
本考案の第１の目的は、頂面及び底面の摩擦力が低く、底面が乳房に貼り合わされ、頂面が力を受けると底面の位置が相対的にずれ、頂面を押して指を確実に平行移動させて乳房腫瘤を触診することができる、ブラジャー型乳房腫瘤自己検診カップを提供することにある。
本考案の第２の目的は、検診カップが手袋層の制限を受けず、指を完全かつ能動的に頂面上で移動させることができ、指の押し付け力に影響を与えない、ブラジャー型乳房腫瘤自己検診カップを提供することにある。
本考案の第３の目的は、検診カップにより腋下に至るまで胸部を大面積で覆い、腫瘤が発生する場所を完全に把握することができる、ブラジャー型乳房腫瘤自己検診カップを提供することにある。
本考案の第４の目的は、検診カップを胸部に強固に貼り付けることができるため、掌で検診カップに力を加えて乳房に貼り合わせなくとも滑り落ちる虞がなく、指で圧力を加えることができる、ブラジャー型乳房腫瘤自己検診カップを提供することにある。
本考案の第５の目的は、掌手袋を持ち上げなくとも移動させることができ、触診した腫瘤が属する領域上にマーキングして記録しておき、次回検査する腫瘤が大きくなったか否かの判断基準として用いることができるため、繰り返して模索する必要がない、ブラジャー型乳房腫瘤自己検診カップを提供することにある。
本考案の第６の目的は、大きな乳房でも容易に覆うことができ、面積が制限を受けず、容易に指に力を加えて速やかに平行移動させて触診することができるため、検査時間を短縮することができる、ブラジャー型乳房腫瘤自己検診カップを提供することにある。
本考案の第７の目的は、頂面及び底面が互いに力を受け、相対的に頂面及び底面の位置がずれるため、従来の手袋層に指が入り、指が掌手袋の上面で膨らみ、一緒に連動する中面及び底面により触感が失われるという欠点がない、ブラジャー型乳房腫瘤自己検診カップを提供することにある。
【課題を解決するための手段】
【０００９】
上記課題を解決するために、本考案の第１の形態によれば、検診カップを備えたブラジャー型乳房腫瘤自己検診カップであって、前記検診カップは、頂面及び底面で構成された二層面を有し、前記頂面及び前記底面の周縁を閉止し、前記頂面及び前記底面に小空間が形成され、前記小空間内には、潤滑素子が充填され、単一の前記頂面及び前記底面によりブラジャー型の前記検診カップを構成し、２つの乳房を大面積で完全に覆うとともに、前記検診カップが位置決め素子を有し、前記検診カップは、乳房に貼り合わされ、前記頂面が指の指圧及び平行移動させて空間に制限されず、前記底面が乳房の皮膚に接触され、一括して検診を行い、前記検診カップを移動させなくとも乳房腫瘤に正確に触れることが可能なことを特徴とする、ブラジャー型乳房腫瘤自己検診カップが提供される。
【図面の簡単な説明】
【００１０】
【図１】図１は、本考案の一実施形態に係るブラジャー型乳房腫瘤自己検診カップを示す平面図である。
【図２】図２は、本考案の一実施形態に係るブラジャー型乳房腫瘤自己検診カップを示す要部拡大図である。
【図３】図３は、本考案の一実施形態に係るブラジャー型乳房腫瘤自己検診カップを示す断面図である。
【図４】図４は、本考案の一実施形態に係るブラジャー型乳房腫瘤自己検診カップの頂面を指圧する状態を示す断面図である。
【図５】図５は、胸部に応用した状態を示す平面図である。
【考案を実施するための形態】
【００１１】
以下、本考案の実施形態について図に基づいて説明する。なお、これによって本考案が限定されるものではない。
【００１２】
図１〜図５を参照する。図１〜図５に示すように、本考案の一実施形態に係るブラジャー型乳房腫瘤自己検診カップは、検診カップ１０を備える。検診カップ１０は、ブラジャー型長尺方形状二層面である。検診カップ１０は、乳房に貼り合わされ、ブラジャーのサイズに略等しく、頂面１１、底面１２及び小空間１３を有する。頂面１１及び底面１２は、軟質非通気性材料からなり、頂面１１又は底面１２の所定箇所にホール１４が形成される。ホール１４には、プラグ１５が取り付けられる。頂面１１及び底面１２の周縁を閉止し、頂面１１と底面１２との間には小空間１３が形成される。検診カップ１０は、一体式であり、大面積を有する。大面積の検診カップ１０は、一方の乳房だけを覆うのではなく、左右両方の乳房から脇下に至るまで覆うのに十分なほど大きい。小空間１３内には、潤滑素子１３１が投入される。潤滑素子１３１は、液体素子でもよい。液体素子は、水分又は油脂類でもよい。或いは、潤滑素子１３１はタルクでもよく、頂面１１及び底面１２の互いの摩擦力を低減し、プラグ１５を抜いてホール１４を介して潤滑素子１３１を小空間１３内へ注入してからプラグ１５によりホール１４を閉止する（又は直接、高周波により頂面１１及び底面１２の周縁を閉止する）。頂面１１又は底面１２の両面は、指で指圧したり水平移動させたりし、底面１２又は頂面１１の大面積により乳房の皮膚に触れることができ、頂面１１又は底面１２の両側には位置決め素子１６が設けられる。位置決め素子１６は、例えば、ブラジャーのベルトを背中で係合して検診カップ１０を胸部に位置決めするベルトであるか、底面１２の周縁に接着点（図示せず）を設けてもよい。接着点は、接着可能なシリカゲルであり、接着点を乳房の周縁に接着させると、胸部に検診カップ１０を強固に接着させることができ、頂面１１又は底面１２の表面には、複数の記録線１７が設けられる。記録線１７と記録線１７とにより取り囲んで複数の領域１８が画成される。本実施形態は、複数の大小領域１８が画成されている。大小領域１８上の記号（図示せず）により、各記録の腫瘤位置を容易に記録することができる。
【００１３】
上述の構造を改良した本考案のブラジャー型乳房腫瘤自己検診カップは、実際に使用する際、まず、検診カップ１０全体を乳房に貼り付け、両側の位置決め素子１６を背中で係合させるため、検診カップ１０を大範囲かつ大面積で胸部に強固に貼り付けることができる。検診カップ１０の頂面１１を指で直接押すと、底面１２が胸部の皮膚に貼り付けられ、指で力を加えることができる上、円を描きながら平行移動させることもできる。頂面１１及び底面１２の摩擦力が互いに低下するため、頂面１１及び底面１２が互いに貼り合わされず、互いに力を受けて位置がずれるため、頂面１１で指が確実に平行移動して乳房腫瘤を触診により見つけることができる。
【００１４】
本実施形態は、従来、手袋層に指が入らないなどの様々な問題に鑑み、手袋層の空間だけに限定されず、上下空間の制限及び左右空間の制限が無く、能動的に押圧し、左右に平行移動させても上下に押しても遮るものがなく、一括して自己検診を行い、検診カップ１０を移動させなくとも頂面１１及び底面１２に正確に触れて乳房腫瘤を検査することができる。
【００１５】
本考案のブラジャー型乳房腫瘤自己検診カップは、以下（１）〜（７）の長所を有する。
（１）検診カップ１０は、手袋層の制限を受けず、頂面１１上で指を能動的に移動させ、掌、指の能動的な変位に影響を与えず、指の押し付け力にも影響を与えることがない。
（２）検診カップ１０は、ブラジャー型であり腋下まで至るまで大面積で胸部を覆うため、腫瘤が発生し易い個所を完全に掌握することができる。
（３）検診カップ１０は、背中で係合する位置決め素子１６を有し、検診カップ１０が胸部に貼り合わされるため、掌で検診カップ１０に力を加えて乳房に貼り合わせなくとも滑り落ちる虞がなく、指で圧力を加えることができる。
（４）掌手袋を持ち上げなくても移動させることができる。
（５）触れて見つけた腫瘤は、記号を有する領域１８上に記録しておき、次回検査する際、腫瘤が大きくなったか否かの判断基準として用いることができるため、繰り返して模索する必要がない。
（６）大きな乳房でも、容易に覆うことができ、面積が制限を受けず、容易に指に力を加えて速やかに平行移動させて触診することができるため、検査時間を短縮することができる。
（７）指圧するときに頂面１１及び底面１２が互いに力を受け、相対的に頂面１１及び底面１２の位置がずれるため、従来のように手袋層に指を入れ、指が掌手袋の上面で膨らみ、一緒に連動する中面及び底面により触感が失われるという欠点がない。
【符号の説明】
【００１６】
１０  検診カップ
１１  頂面
１２  底面
１３  小空間
１４  ホール
１５  プラグ
１６  位置決め素子
１７  記録線
１８  領域
１３１  潤滑素子
【図１】
0003214612.tif 000003
【図２】
0003214612.tif 000004
【図３】
0003214612.tif 000005
【図４】
0003214612.tif 000006
【図５】
0003214612.tif 000007